(57)【要約】  操作部と、外装筐体６ｋに連設された基部４０ａと突出端部４０ｂとを有する環状の壁部４０と、操作者が傾倒操作可能な操作レバー２０と、操作レバー２０に装着される第１装着部６１と、操作レバー２０の傾倒に伴って変形する変形部６３と、内周面６２ｎが壁部４０の外周面４０ｇに装着される第２装着部６２とを有するカバー部材６０と、第２装着部６２の外周面６２ｇに接する当接部７１を有し、当接部７１が第２装着部６２の外周面６２ｇを押圧するように変形されて外装筐体６ｋに固定された弾性部材７０と、を具備する。
2018123206.tif 000002
【特許請求の範囲】
【請求項１】
操作者によって把持される操作部と、
前記操作部の外装筐体に連設された基部と、該基部から所定の高さ突設された突出端部とを有する環状の壁部と、
前記壁部によって覆われた領域において前記操作部内から前記操作部外に延出された、前記操作部に対して操作者が傾倒操作可能な操作レバーと、
前記操作レバーに装着される第１装着部と、前記第１装着部に連設されるとともに前記操作レバーの傾倒に伴って変形する変形部と、前記変形部に連設されるとともに内周面が前記壁部の外周面に装着される第２装着部とを有するカバー部材と、
前記第２装着部の外周面に接する当接部を有し、前記当接部が前記第２装着部の前記外周面を押圧するように変形されて前記外装筐体に固定された弾性部材と、
を具備することを特徴とする医療機器。
【請求項２】
前記カバー部材は、前記第２装着部において前記壁部に対する水密が確保されていることを特徴とする請求項１に記載の医療機器。
【請求項３】
前記第２装着部に、前記壁部に当接されることにより当接部位の水密を確保するシール部が形成されていることを特徴とする請求項２に記載の医療機器。
【請求項４】
前記シール部は、前記第２装着部において最も肉厚が厚いことを特徴とする請求項３に記載の医療機器。
【請求項５】
前記弾性部材の前記当接部は、前記壁部の前記突出端部よりも前記基部の側にて前記第２装着部の前記外周面に当接し、前記第２装着部を前記壁部に押圧していることを特徴とする請求項１に記載の医療機器。
【請求項６】
前記弾性部材の前記当接部は、前記基部の側から前記突出端部の側に向かって先細りとなる断面三角形状を有していることを特徴とする請求項１に記載の医療機器。
【発明の詳細な説明】
【技術分野】
【０００１】
本発明は、操作者によって把持される操作部に対して操作者が傾倒操作可能な操作レバーを具備する医療機器に関する。
【背景技術】
【０００２】
近年、医療機器、例えば内視鏡は、医療分野において広く利用されている。医療分野において用いられる内視鏡は、細長い挿入部を被検体となる体腔内に挿入することによって、体腔内の被検部位を観察することができる。【０００３】
また、内視鏡の挿入部における先端側に、例えば複数方向に湾曲自在な湾曲部が設けられた構成が周知である。【０００４】
湾曲部は、体腔内の屈曲部における挿入部の進行性を向上させる他、挿入部において、湾曲部よりも先端側に位置する先端部に設けられた観察光学系の観察方向を可変させる。【０００５】
一例を挙げると、内視鏡の挿入部内及び該挿入部の基端に連設された内視鏡の操作部内には、先端が湾曲部にそれぞれ固定された１対または２対、即ち２本または４本のワイヤが挿通されている。【０００６】
４本のワイヤのいずれかは、内視鏡の操作部に設けられた湾曲操作部材、例えば既知のジョイスティック装置における操作レバーの傾倒操作に伴って牽引される。【０００７】
このことにより、湾曲部は上下２方向のいずれか、または左右２方向のいずれか、あるいは上下左右４方向のいずれかに湾曲自在となっている。【０００８】
ここで、操作レバーの軸体は、操作部内から該操作部の外装筐体に設けられた環状の壁部の孔を介して操作部外に延出されている。【０００９】
尚、軸体の端部である延出端に、操作者によって軸体が傾倒される際に操作者によって把持される操作子が設けられている。【００１０】
また、軸体に、壁部の孔を覆うことにより孔を介した操作部内への液体や塵埃等の進入を防ぐカバー部材が外装されている構成が周知である。【００１１】
カバー部材は、ゴム等からシート状に、軸体と略同心円状に形成されるとともに弾性部材から構成された変形部を有している。【００１２】
日本国特開２００４−３２１６１２号公報には、変形部に連設された変形部の内周縁となる第１装着部が軸体の外周に装着され、変形部に連設された変形部の外周縁となる第２装着部が、例えば操作部の外装筐体に設けられた固定穴等に緊密に嵌入されるとともに壁部の外周面に装着された内視鏡の操作部の構成が開示されている。【００１３】
ここで、操作者によって操作子が把持された操作レバーが傾倒操作されると、カバー部材の変形部は、操作レバーの軸体の動きに追従して変形、移動する。【００１４】
ところが、変形部が操作レバーの傾倒方向に追従して移動してしまうと、日本国特開２００４−３２１６１２号公報に開示された構成においては、操作レバーの傾倒方向とは反対側の領域における第２装着部と固定穴との間に隙間が出来てしまう。【００１５】
その結果、隙間に汚れ等が進入してしまうと、例えば内視鏡洗浄消毒装置を用いて内視鏡を洗浄消毒する際、隙間に進入した汚れを落とし難く、別途隙間に進入した汚れを除去しなければならず、洗浄消毒作業者にとって大変煩雑であるといった問題があった。【００１６】
尚、以上の問題は、内視鏡に限らず、操作部に上述と同様の操作レバーを有する他の医療機器においても同様である。【００１７】
本発明は、上記問題点に鑑みなされたものであり、操作レバーの傾倒に伴いカバー部材が移動したとしても、操作部の外装筐体とカバー部材との間に隙間が発生してしまうことを防ぐことができる構成を有する医療機器を提供することを目的とする。
【発明の開示】
【課題を解決するための手段】
【００１８】
本発明の一態様による医療機器は、操作者によって把持される操作部と、前記操作部の外装筐体に連設された基部と、該基部から所定の高さ突設された突出端部とを有する環状の壁部と、前記壁部によって覆われた領域において前記操作部内から前記操作部外に延出された、前記操作部に対して操作者が傾倒操作可能な操作レバーと、前記操作レバーに装着される第１装着部と、前記第１装着部に連設されるとともに前記操作レバーの傾倒に伴って変形する変形部と、前記変形部に連設されるとともに内周面が前記壁部の外周面に装着される第２装着部とを有するカバー部材と、前記第２装着部の外周面に接する当接部を有し、前記当接部が前記第２装着部の前記外周面を押圧するように変形されて前記外装筐体に固定された弾性部材と、を具備する。
【図面の簡単な説明】
【００１９】
【図１】本実施の形態の内視鏡の斜視図
【図２】図１中のII線で囲った内視鏡の湾曲操作機構を、操作部の外装筐体の一部とともに示す断面図
【図３】図２の外装筐体の固定穴に、カバー部材の第２装着部を嵌入していく様子を示す部分拡大断面図
【発明を実施するための最良の形態】
【００２０】
以下、図面を参照して本発明の実施の形態を説明する。尚、図面は模式的なものであり、各部材の厚みと幅との関係、それぞれの部材の厚みの比率などは現実のものとは異なることに留意すべきであり、図面の相互間においても互いの寸法の関係や比率が異なる部分が含まれていることは勿論である。【００２１】
尚、以下に示す実施の形態において、医療機器は、内視鏡を例に挙げて説明する。【００２２】
図１は、本実施の形態の内視鏡の斜視図である。【００２３】
図１に示すように、内視鏡１は、被検体内に挿入される挿入部５と、該挿入部５の基端側に連設された操作者によって把持される操作部６とを具備して主要部が構成されている。【００２４】
尚、操作部６から図示しないユニバーサルコードが延出され、該ユニバーサルコードの延出端に設けられた図示しないコネクタを介して、内視鏡１は、制御装置や照明装置等の外部装置と電気的に接続される。【００２５】
挿入部５は、先端側から順に、先端部２と湾曲部３と可撓管部４とを具備して構成されており、細長に形成されている。【００２６】
湾曲部３は、後述する操作レバー２０の傾倒操作により、複数方向、例えば上下左右の４方向に湾曲される。このことにより、湾曲部３は、先端部２内に設けられた図示しない観察光学系の観察方向を可変したり、被検体内における先端部２の挿入性を向上させたりする。さらに、可撓管部４は、湾曲部３の基端側に連設されている。【００２７】
操作部６に、内視鏡１の湾曲操作機構１０が設けられている。湾曲操作機構１０は、操作部６に対して操作者が傾倒操作可能なことにより湾曲部３を湾曲させる操作レバー２０と、シールユニット３０とを具備して主要部が構成されている。【００２８】
操作レバー２０は、軸体２１と、該軸体２１の端部に設けられた操作子２２とから構成されている。【００２９】
尚、軸体２１の操作子２２とは反対側の端部は、操作部６内に設けられた操作レバー２０の傾倒に伴って湾曲部３を湾曲させる図示しない装置に接続されている。【００３０】
軸体２１は、操作部６の後述する外装筐体６ｋに連設された環状の壁部４０によって覆われた領域の孔６ｖ（いずれも図２参照）を介して操作部６内から操作部６外に延出されている。操作子２２は、軸体２１の延出端に設けられており、操作部６外に位置している。【００３１】
次に、湾曲操作機構１０の構成について、図２、図３を用いて説明する。図２は、図１中のII線で囲った内視鏡の湾曲操作機構を、操作部の外装筐体の一部とともに示す断面図、図３は、図２の外装筐体の固定穴に、カバー部材の第２装着部を嵌入していく様子を示す部分拡大断面図である。【００３２】
図２に示すように、シールユニット３０は、後述する孔６ｖを塞ぐことにより、孔６ｖを介して操作部６内に液体や塵埃等が進入するのを防ぐものである。【００３３】
また、シールユニット３０は、筒状部材５０と、シート状のカバー部材６０と、弾性部材７０とから構成されている。【００３４】
筒状部材５０は、軸体２１が嵌入される孔５０ｈを軸体２１の長手軸方向Ｎに沿って有しており、ステンレス等の剛性を有する材料から構成されている。【００３５】
カバー部材６０は、例えばシリコンゴムからシート状に、例えば１ｍｍの厚みに形成されており、筒状部材５０に対して、インサート成形等により一体的に形成されている。【００３６】
尚、カバー部材６０を構成する部材は、シリコンゴムに限定されない。また、カバー部材６０の厚みは、１ｍｍに限定されない。【００３７】
カバー部材６０は、第１装着部６１と、第２装着部６２と、変形部６３とを有して構成されている。【００３８】
第１装着部６１は、筒状部材５０の外周５０ｇに対して、筒状部材５０の長手軸方向Ｎに沿って周状に装着され、固定されている。即ち、カバー部材６０は、第１装着部６１において筒状部材５０に対して一体的に形成されている。【００３９】
変形部６３は、操作レバー２０の傾倒に伴って変形、移動するものであって、第１装着部６１に連設されており、第１装着部６１からカバー部材６０の径方向Ｋの外側、即ち第２装着部６２側に第１装着部６１と略同心円状に周状に延出している。【００４０】
変形部６３は、例えば、複数の凹部６３ａ、６３ｂと、複数の凸部６３ｃ、６３ｄと、凹部６３ａと凸部６３ｃとを繋ぐ斜面６３ｅと、凸部６３ｃと凹部６３ｂとを繋ぐ斜面６３ｆと、凹部６３ｂと凸部６３ｄとを繋ぐ斜面６３ｇとから構成されている。尚、各凹部、凸部、斜面の個数は図２に示す個数に限定されない。【００４１】
第２装着部６２は、変形部６３の外周縁に連設されており、操作部６の外装筐体６ｋに連設された環状の壁部４０の外周面４０ｇに装着されている。【００４２】
具体的には、壁部４０は、外装筐体６ｋに連設された基部４０ａと、該基部４０ａから長手軸方向Ｎに沿って所定の高さＨ突設された突出端部４０ｂとを有して環状に形成されており、壁部４０によって覆われた領域に、長手軸方向Ｎに沿って孔６ｖが形成されている。【００４３】
また、外装筐体６ｋの壁部４０よりも径方向Ｋの外側、即ち図２中の弾性部材７０側の外表面に、長手軸方向Ｎに沿って所定の深さを有する固定穴６ｗが形成されており、該固定穴６ｗに、第２装着部６２が嵌入されている。【００４４】
このことにより、第２装着部６２は、内周面６２ｎが壁部４０の外周面４０ｇに、固定穴６ｗを介して装着されている。【００４５】
尚、カバー部材６０は、第２装着部６２において壁部４０に対する水密が確保されている。【００４６】
具体的には、第２装着部６２に、該第２装着部６２における他の部位よりも肉厚が厚く（ａ＜ｂ）、壁部４０に当接されることにより当接部位の水密を確保するシール部６２ｓが形成されている。【００４７】
シール部６２ｓが固定穴６ｗにおいて壁部４０の外周面４０ｇに当接していることにより、カバー部材６０は、第２装着部６２において壁部４０に対する水密が確保されている。【００４８】
また、外装筐体６ｋの外表面において、固定穴６ｗよりも径方向Ｋに外側に、環状の剛体６ｄが固定されており、該剛体６ｄに、例えばシリコンゴムから形成された弾性部材７０が外装筐体６ｋの外表面から露出するよう固定されている。【００４９】
尚、弾性部材７０を構成する部材は、シリコンゴムに限定されない。また、弾性部材７０は、剛体６ｄに対して、例えばインサート成形により一体的に形成されている。【００５０】
弾性部材７０は、固定穴６ｗにおいて、第２装着部６２の外周面６２ｇに当接する当接部７１を有し、当接部７１が第２装着部６２の外周面６２ｇを径方向Ｋの内側に押圧するよう変形された状態にて剛体６ｄに固定されている。【００５１】
具体的には、弾性部材７０の当接部７１は、壁部４０の突出端部４０ｂよりも長手軸方向Ｎにおける基部４０ａの側にて第２装着部６２の外周面６２ｇに当接し、第２装着部６２を、壁部４０に向かって押圧している。【００５２】
このことによって、弾性部材７０は、操作レバー２０が傾倒操作された際、変形部６３が変形、移動することに伴い、径方向Ｋにおける傾倒方向とは反対側の領域における第２装着部６２と外装筐体６ｋとの間に隙間が発生してしまうことを、当接部７１が第２装着部６２の外周面６２ｇに当接して壁部４０に向かって第２装着部６２を押圧することにより防いでいる。【００５３】
よって、弾性部材７０は、第２装着部６２を押圧することから、一定の押圧力を確保するためカバー部材６０よりも硬く形成されていることが好ましい。【００５４】
また、当接部７１は、長手軸方向Ｎにおいて、基部４０ａの側から突出端部４０ｂの側に向かって先細りとなる断面三角形状を有している。【００５５】
これは、図３に示すように、組み立てにおいて、固定穴６ｗに対して第２装着部６２を長手軸方向Ｎにおける基部４０ａ側となる方向Ｎ１に嵌入していく際、当接部７１の外周面６２ｇに対する接触面積が最小限で済むことから嵌入しやすくなるためである。【００５６】
さらに、第２装着部６２を固定穴６ｗに嵌入していく際、外周面６２ｇに当接する当接部７１が長手軸方向Ｎにおける突出端部４０ｂ側に向くことから、当接部７１と外周面６２ｇとの間により隙間が出来難くなるためである。【００５７】
尚、その他の湾曲操作機構１０の構成は、従来と同じである。【００５８】
このように、本実施の形態においては、外装筐体６ｋにおいて固定穴６ｗよりも径方向Ｋの外側に、固定穴６ｗに嵌入された第２装着部６２の外周面６２ｇを、壁部４０に向かって押圧する弾性部材７０が固定されていると示した。【００５９】
このことによれば、操作レバー２０の傾倒操作に伴って変形部６３が径方向Ｋの内側に移動したとしても、操作レバー２０の傾倒方向とは径方向Ｋの反対側の領域に位置する弾性部材７０の当接部７１が第２装着部６２を押圧する。【００６０】
このことにより、当接部７１と第２装着部６２との間に隙間が発生しないばかりか、固定穴６ｗに嵌入している第２装着部６２の部位、具体的には、突出端部４０ｂよりも長手軸方向Ｎにおける基部４０ａ側の第２装着部６２の部位は、壁部４０の外周面４０ｇに装着されたまま径方向Ｋには変形しない。【００６１】
このため、第２装着部６２と外装筐体６ｋとの間に隙間が生じてしまうことを防ぐことができる。【００６２】
以上から操作レバー２０の傾倒に伴いカバー部材６０が移動したとしても、操作部６の外装筐体６ｋとカバー部材６０の第２装着部６２との間に隙間が発生してしまうことを防ぐことができる構成を有する内視鏡１を提供することができる。【００６３】
尚、上述した本実施の形態においては、医療機器は、内視鏡を例に挙げて示したが、これに限らず、操作部６に本実施の形態と同様の構成の湾曲操作機構１０を有する他の医療機器においても適用可能であるということは云うまでもない。【００６４】
本出願は、２０１６年１２月２７日に日本国に出願された特願２０１６−２５３９０４号を優先権主張の基礎として出願するものであり、上記の内容は、本願明細書、請求の範囲、図面に引用されたものである。
【図１】
2018123206.tif 000003
【図２】
2018123206.tif 000004
【図３】
2018123206.tif 000005
【国際調査報告】
2018123206.tif 000006
2018123206.tif 000007
2018123206.tif 000008
2018123206.tif 000009